(57)【要約】【課題】  受信機を充電台にセットしたとき、その受信機に内蔵されている動作電源の充電式電池が充電用の接点を通じて充電される受信機において、充電時しながらスピーカで放送を聴く場合、イヤホンコードをアンテナとして使用する手間を省けるようにする。【解決手段】  充電用の接点１７Ｃと充電回路１６との間の電流ラインに高周波チョークコイルＬ13を直列接続する。接点１７ＣをコンデンサＣ12を通じて受信回路１１のアンテナ入力回路に接続する。【選択図】  図２
2006080868.tif 000002
【特許請求の範囲】
【請求項１】
動作電源である充電式電池を充電するための接点を有し、
充電台にセットすると、この充電台から上記接点を通じて上記充電式電池が充電される受信機において、
上記接点の上記充電式電池側の電流ラインに高周波チョークコイルが直列接続され、
上記接点がコンデンサを通じて受信回路のアンテナ入力回路に接続されている
ようにした受信機。
【請求項２】
請求項１において、
上記充電式電池に充電を行う充電回路を有し、
上記高周波チョークコイルが、上記接点と上記充電回路との間の電流ラインに直列接続されている
ようにした受信機。
【請求項３】
請求項１あるいは請求項２において、
上記受信回路のオーディオ出力端とイヤホンとの間の信号ラインに別の高周波チョークコイルが直列接続され、
上記イヤホンが別のコンデンサを通じて上記アンテナ入力回路に接続されている  ようにした受信機。
【請求項４】
請求項３に記載の受信機に充電電流を供給する充電台であって、
アンテナを有し、
このアンテナの受信信号がコンデンサを通じて上記接点に供給される
ようにした充電台。
【発明の詳細な説明】
【技術分野】
【０００１】
この発明は受信機および充電台に関する。
【背景技術】
【０００２】
いわゆる通勤用ラジオ、すなわち、ワイシャツの胸ポケットに入るような小型・薄型のＦＭ受信機は、一般にイヤホンコードがＦＭ放送やテレビ放送の音声を受信するときのアンテナとして作用するように構成されている。
【０００３】
なお、先行技術文献として例えば以下のものがある。
【特許文献１】実公昭５７−５０８２９号公報
【発明の開示】
【発明が解決しようとする課題】
【０００４】
ところが、上述のようにイヤホンコードがアンテナとして作用するように構成すると、受信機を充電台に載せて充電しながらスピーカで放送を聴く場合、受信機にイヤホンを接続するとともに、そのイヤホンコードを伸ばしておく必要があるが、いちいちイヤホンを接続したり、イヤホンコードを伸ばしたりするのはめんどうである。また、伸ばしたイヤホンコードが充電台の電源コードにからまってしまうこともある。
【０００５】
この発明は、そのような問題点を解決しようとするものである。
【課題を解決するための手段】
【０００６】
この発明においては、
動作電源である充電式電池を充電するための接点を有し、
充電台にセットすると、この充電台から上記接点を通じて上記充電式電池が充電される受信機において、
上記接点の上記充電式電池側の電流ラインに高周波チョークコイルが直列接続され、
上記接点がコンデンサを通じて受信回路のアンテナ入力回路に接続されている
ようにした受信機
とするものである。
【発明の効果】
【０００７】
この発明によれば、充電しながらスピーカによりＦＭ放送を聴く場合、イヤホンを接続したり、イヤホンコードを引き伸ばすしたりする手間が不要となる。また、イヤホンコードが充電台やそのコードにからまってしまうこともない。さらに、充電しないときでも、充電台がアンテナとして作用するとともに、受信機を立てておくためのスタンドとしても作用するので、放送が聴きやすくなる。
【０００８】
しかも、そのための構成は、受信機に、若干の部品を追加するだけでよく、コストの上昇を抑えることができる。また、これまでの充電台をそのまま使用することができる。
【発明を実施するための最良の形態】
【０００９】
〔１〕  第１の形態
〔１−１〕  外観の説明
図１において、符号１０は、この発明による受信機の一例を示す。この受信機１０は全体が偏平の直方体状に構成され、その厚さ方向が前後方向とされ、長さ方向が上下方向とされている。そして、受信機１０の上面には、電源スイッチＳ12が設けられ、上部後方のポケットにイヤホンユニット（イヤホン本体）１２Ｕが収納されている。
【００１０】
この場合、イヤホン１２は巻き取り式とされているもので、イヤホン１２を使用しないときには、そのイヤホンコードが受信機１０の内部のリールに巻き取られるとともに、イヤホン１２も図のように受信機１０のポケットに収納され、イヤホン１２を使用するときには、イヤホン１２およびイヤホンコードは受信機１０の外部に引き出されるものである。
【００１１】
また、受信機１０の一方の側面には、イヤホン・スピーカ切り換えスイッチＳ11と、イヤホンジャックＪ11とが設けられ、その前面にはスピーカＳＰが配置され、受信機１０の底面には、充電用の接点１７Ａ〜１７Ｃが設けられている。
【００１２】
さらに、符号２０は充電台の一例を示す。この充電台２０はその上面に受信機１０を収納する凹部２９を有するとともに、この凹部２９の底面のうち、受信機１０の接点１７Ａ〜１７Ｃに対応する位置に、接点２７Ａ〜２７Ｃが設けられている。また、前部には、充電中に点灯するＬＥＤ（Ｄ21）が設けられている。なお、詳細は後述するが、この充電台２０には、ＡＣアダプタ（図示せず）から直流電圧が供給される。
【００１３】
〔１−２〕  回路の構成
図２は、受信機１０および充電台２０の回路の一例を示す。受信機１０は受信回路１１を有する。この受信回路１１は、アンテナ入力回路から出力アンプまでを有し、ユーザの指定した周波数のＦＭ放送（あるいはテレビの音声放送）を受信してそのオーディオ信号を出力するものである。
【００１４】
そして、この受信回路１１から出力されるオーディオ信号が、イヤホン・スピーカ切り換えスイッチＳ11の親接点に供給され、そのイヤホン側子接点Ｅが高周波チョークコイルＬ11を通じてイヤホンジャックＪ11のホット側接点Ｊ1Aに接続される。また、ジャックＪ11のスイッチ接点Ｊ1Bと共通接点Ｊ1Cとの間に、イヤホン１２が接続されるとともに、その共通接点Ｊ1Cが高周波チョークコイルＬ12を通じて接地ライン１３に接続される。なお、イヤホン１２において、符号１２Ｕはイヤホンユニット、符号１２Ｃはイヤホンコードである。
【００１５】
また、受信回路１１の接地側の電源ラインが接地ライン１３に接続されるとともに、スイッチＳ11のスピーカ側接点Ｓと接地ライン１３との間にスピーカＳＰが接続され、ジャックＪ11の接点Ｊ1Aが、コンデンサＣ11を通じて受信回路１１のアンテナ入力端に接続される。
【００１６】
さらに、受信機１０には動作電源として充電式電池１４が設けられ、その一方の電極が電源スイッチＳ12を通じて受信回路１１のホット側の電源ラインに接続され、電池１４の他方の電極が接地ライン１３に接続される。なお、符号１９は、ジャックＪ11に接続することのできる外部のイヤホンである。
【００１７】
また、受信機１０には、マイクロコンピュータ１５および充電回路１６が設けられる。この場合、マイクロコンピュータ１５は、システム制御回路として働くものであり、電池１４の電圧がマイクロコンピュータ１５にその動作電圧として供給される。そして、マイクロコンピュータ１５から受信回路１１に受信周波数などの制御信号が供給されるとともに、充電回路１６にその充電の実行・停止などを指示する信号が供給される。また、マイクロコンピュータ１５から充電中・非充電中を示す信号Ｓ15が出力され、この信号Ｓ15が接点１７Ａに出力される。
【００１８】
さらに、充電回路１６は、電池１４への充電を行うためのものであるが、その入力端が接点１７Ｂに接続され、その出力端が電池１４の一方の電極に接続され、その接地端が接地ライン１３に接続されるとともに、高周波チョークコイルＬ13を通じて接点１７Ｃに接続される。また、接点１７ＣがコンデンサＣ12を通じて受信回路１１のアンテナ入力端に接続される。
【００１９】
一方、充電台２０は、ＡＣアダプタ３０から出力される直流電圧を充電用の直流電圧に安定化して受信機１０に供給するものである。このため、ＡＣアダプタ３０の出力プラグ３１の差し込まれるジャックＪ21を有し、このジャックＪ21のホット側接点が定電圧回路２１の入力端に接続され、その出力端が接点２７Ｂに接続される。また、ジャックＪ21の接地側接点が、定電圧回路２１の接地端に接続されるとともに、接点２７Ｃに接続される。さらに、接点２７ＡがトランジスタＱ21のベースに接続され、そのエミッタが接点２７Ｃに接続され、そのコレクタがＬＥＤ（Ｄ21）を通じてジャックＪ21のホット側接点に接続される。
【００２０】
なお、ＡＣアダプタ３０において、符号３２はコード、符号３３はアダプタ本体である。
【００２１】
〔１−３〕  ＦＭ放送の受信時の動作
〔１−３−１〕  イヤホン１２によりＦＭ放送を聴く場合
この場合には、スイッチＳ11を図２に示すように、イヤホン側接点Ｅに接続する。すると、イヤホンコード１２Ｃがアンテナとして作用してＦＭ放送が受信され、その受信信号が、ジャックＪ11の接点Ｊ1BおよびＪ1A→コンデンサＣ11の信号ラインを通じて受信回路１１に供給される。このとき、イヤホンコード１２Ｃにより受信された受信信号は、高周波チョークコイルＬ11、Ｌ12により阻止されるので、接地に流れることはない。
【００２２】
したがって、受信回路１１からは放送のオーディオ信号が出力されるが、このオーディオ信号は、スイッチＳ11の接点Ｅ→高周波チョークコイルＬ11→ジャックＪ11の接点Ｊ1AおよびＪ1B→イヤホンコード１２Ｃ→イヤホン１２→イヤホンコード１２Ｃ→高周波チョークコイルＬ12の信号ラインを通じて接地ライン１３に流れるので、イヤホン１２により放送を聴くことができる。
【００２３】
〔１−３−２〕  外部イヤホン１９によりＦＭ放送を聴く場合
この場合には、スイッチＳ11を図２に示すように、イヤホン側接点Ｅに接続する。また、ジャックＪ11に外部イヤホン１９のプラグを差し込む。すると、外部イヤホン１９のイヤホンコードがアンテナとして作用してＦＭ放送が受信され、その受信信号が、ジャックＪ11の接点Ｊ1A→コンデンサＣ11の信号ラインを通じて受信回路１１に供給される。このときも、イヤホンコード１２Ｃにより受信された受信信号は、高周波チョークコイルＬ11、Ｌ12により阻止されるので、接地に流れることはない。
【００２４】
したがって、受信回路１１からは放送のオーディオ信号が出力されるが、このオーディオ信号は、スイッチＳ11の接点Ｅ→高周波チョークコイルＬ11→ジャックＪ11の接点Ｊ1A→外部イヤホン１９→ジャックＪ11の接点Ｊ1C→高周波チョークコイルＬ12の信号ラインを通じて接地ライン１３に流れるので、外部イヤホン１９により放送を聴くことができる。
【００２５】
〔１−３−３〕  スピーカＳＰによりＦＭ放送を聴く場合
この場合には、スイッチＳ11を図２とは逆にスピーカ側接点Ｓに接続する。また、イヤホン１２を収納部から引き出しておく。すると、イヤホンコード１２Ｃがアンテナとして作用してＦＭ放送が受信され、その受信信号が、〔１−３−１〕で説明したように、受信回路１１に供給される。
【００２６】
したがって、受信回路１１からは放送のオーディオ信号が出力されるが、このオーディオ信号は、スイッチＳ11の接点Ｓを通じてスピーカＳＰに供給されるので、スピーカＳＰにより放送を聴くことができる。
【００２７】
〔１−３−４〕  充電しながらスピーカＳＰによりＦＭ放送を聴く場合
この場合には、スイッチＳ11を図２とは逆にスピーカ側接点Ｓに接続する。また、受信機１０を充電台２０の凹部２９にセットするとともに、充電台２０のジャックＪ21には、ＡＣアダプタ３０のプラグ３１を差し込んでおく。なお、このとき、〔１−３−３〕の場合のように、イヤホン１２を収納部から引き出しておく必要はない。また、ジャックＪ11に外部イヤホン１９を接続しておく必要もない。
【００２８】
すると、受信機１０を充電台２０にセットすることにより、ＡＣアダプタ３０のコード３２がアンテナとして作用してＦＭ放送が受信される。また、充電のためにＡＣアダプタ３０の本体３３が壁などのコンセントに接続されていれば、電灯線がいわゆる電灯線アンテナとしても作用し、その受信信号もＡＣアダプタ３０のコード３２に得られる。
【００２９】
そして、このコード３２の受信信号が、接点２７Ｃ→接点１７Ｃ→コンデンサＣ12の信号ラインを通じて受信回路１１に供給される。このとき、コード３２の受信信号は、高周波チョークコイルＬ13により阻止されるので、接地ライン１３に流れることはない。したがって、受信回路１１からは放送のオーディオ信号が出力され、このオーディオ信号がスイッチＳ11の接点Ｓを通じてスピーカＳＰに供給されるので、スピーカＳＰにより放送を聴くことができる。
【００３０】
なお、ＡＣアダプタ３０の本体３３がコンセントに接続されていないときには、電灯線アンテナを利用できないが、上記のようにＡＣアダプタ３０のコード３２がアンテナとして作用しているので、ＦＭ放送の受信に支障はない。また、ＡＣアダプタ３０が電源コンセントに接続されているときには、次項で述べるようにして電池１４の充電が行われる。
【００３１】
〔１−４〕  充電の動作
充電を行う場合には、ＡＣアダプタ３０の本体３３を電源コンセントに接続するとともに、プラグ３１を充電台２０のジャックＪ21に差し込んでおく。また、受信機１０を充電台２０の凹部２９にセットする。
【００３２】
すると、ＡＣアダプタ３０から出力される直流電圧が定電圧回路２１により安定な直流電圧とされ、その直流電圧が接点２７Ｂ、２７Ｃから接点１７Ｂ、１７Ｃを通じて充電回路１６に供給される。したがって、充電回路１６から所定の充電電流が出力され、この充電電流が電池１４に供給されるので、電池１４の充電が行われる。なお、この充電は、マイクロコンピュータ１５により監視され、充電中はＳ15＝“Ｈ”とされ、この信号Ｓ15が接点１７Ａおよび２７Ａを通じてトランジスタＱ21のベースに供給される。したがって、ＬＥＤ（Ｄ21）が点灯し、充電中であることがユーザに表示される。
【００３３】
そして、電池１４の充電が終了すると、これがマイクロコンピュータ１５により検出され、充電回路１６からの充電電流の出力が禁止されるとともに、Ｓ15＝“Ｌ”とされる。したがって、ＬＥＤ（Ｄ21）が消灯し、充電の終了したことがユーザに通知される。
【００３４】
〔１−５〕  まとめ
上述の受信機１０によれば、充電しながらスピーカＳＰによりＦＭ放送を聴く場合、〔１−３−４〕で述べたように、ＡＣアダプタ３０のコード３２や電灯線がアンテナとして作用するので、イヤホン３２のイヤホンコード１２Ｃを引き出したり、外部イヤホン１９を接続してそのイヤホンコードを引き伸ばしたりする手間が不要となる。また、イヤホンコードが充電台２０やＡＣアダプタ３０のコード３２にからまってしまうこともない。
【００３５】
さらに、充電しないときでも、受信機１０を充電台２０に載せれば、充電台２０およびＡＣアダプタ３０がアンテナとして作用するだけでなく、受信機１０を立てておくためのスタンドとしても作用するので、放送が聴きやすくなる。
【００３６】
しかも、そのための構成は、受信機１０に、高周波チョークコイルＬ13およびコンデンサＣ12を追加するだけでよく、コストの上昇を抑えることができる。また、これまでの充電台２０をそのまま使用することができる。
【００３７】
〔２〕  第２の形態
図３は、充電台２０にアンテナを設けた場合の一例を示す。すなわち、接点２７Ａと、トランジスタＱ21のベースとの間に高周波チョークコイルＬ21が接続されるとともに、接点２７Ａに例えばワイヤ式のアンテナ２２が接続される。
【００３８】
また、受信機２０においては、マイクロコンピュータ１５と接点１７Ａとの間の信号Ｓ15の信号ラインに高周波チョークコイルＬ13が接続されるとともに、接点１７ＡがコンデンサＣ12を通じて受信回路１１のアンテナ入力端に接続される。
【００３９】
したがって、充電台２０に受信機１０をセットすると、アンテナ２２の受信した受信信号が、コンデンサＣ21→接点２７Ａ→接点１７Ａ→コンデンサＣ12の信号ラインを通じて受信回路１１に供給されるので、ＦＭ放送を聴くことができる。
【００４０】
そして、この場合も、イヤホン１２や外部イヤホンのイヤホンコードを伸ばしておく必要がなく、その手間が省ける。また、イヤホンコードが充電台２０やＡＣアダプタ３０のコード３２にからまってしまうこともない。
【００４１】
〔３〕  その他
上述において、受信機１０がイヤホン１２を有していない場合には、イヤホン１２の部分にスピーカＳＰを接続すればよく、このとき、スイッチＳ11および高周波チョークコイルＬ11は不要である。また、図１に示す受信機１０において、接点１７Ａや１７Ｂから受信信号を得ることもできる。さらに、充電台２０が、ＡＣアダプタ３０の本体３３、すなわち、電源トランスおよび整流回路を内蔵していて電源コードを通じてコンセントに接続するものであってもよい。
【００４２】
〔略語の一覧〕
ＡＣ  ：Alternating Current
ＦＭ  ：Frequency Modulation
ＬＥＤ：Light Emitting Diode
【図面の簡単な説明】
【００４３】
【図１】この発明の一形態を示す斜視図である。
【図２】この発明の一形態を示す接続図である。
【図３】この発明の他の形態を示す接続図である。
【符号の説明】
【００４４】
１０…受信機、１１…受信回路、１２…イヤホン、１４…充電式電池、１５…システム制御用マイクロコンピュータ、１６…充電回路、１９…外部イヤホン、２０…充電台、２１…定電圧回路、３０…ＡＣアダプタ
【図１】
2006080868.tif 000003
【図２】
2006080868.tif 000004
【図３】
2006080868.tif 000005